(57)【要約】【課題】  遊技媒体の共有を容易にすることができる遊技機、遊技機本体及び共通遊技媒体受け皿の提供を目的とする。【解決手段】  遊技結果に応じて遊技媒体を払い出す遊技媒体払出口１５を有する複数の遊技機本体１ａ、１ｂと、前記複数の遊技機本体の遊技媒体払出口１５から払い出される遊技媒体を、共通に直接受け入れる共通遊技媒体受け皿５０とを備えるので、遊技媒体の共有を容易にすることができる遊技機、遊技機本体及び共通遊技媒体受け皿の提供することができる。さらに、遊技媒体の共有が容易となったことで、隣接する遊技機本体１ａ、１ｂで遊技を行う遊技者同士での興趣性の共有に資することができ、より興趣性の高い遊技機とすることができる。【選択図】  図１
2005118473.tif 000002
【特許請求の範囲】
【請求項１】
遊技結果に応じて遊技媒体を払い出す遊技媒体払出口を有する複数の遊技機本体と；
前記複数の遊技機本体の遊技媒体払出口から払い出される遊技媒体を、共通に直接受け入れる共通遊技媒体受け皿とを備える；
遊技機。
【請求項２】
前記共通遊技媒体受け皿を、前記複数の遊技機本体に着脱可能に固定的に取り付ける取付部を有する、請求項１に記載の遊技機。
【請求項３】
前記取付部は、前記取付部に形成される凸部又は凹部のいずれか一方と、前記共通遊技媒体受け皿に形成される前記凸部又は前記凹部のうちの他方とが嵌合することにより、前記共通遊技媒体受け皿を前記取付部に前記取り付けるように構成された；
請求項２に記載の遊技機。
【請求項４】
遊技結果に応じて遊技媒体を払い出す遊技媒体払出口を有する遊技機本体であって；
前記遊技媒体払出口の下方の領域と、隣接する遊技機本体の前記遊技媒体払出口の下方の領域とが連続可能に構成された；
遊技機本体。
【請求項５】
複数の遊技機本体の遊技媒体払出口から払い出される遊技媒体を、共通に受け入れる共通遊技媒体受け皿であって；
前記複数の遊技機本体を幅方向にカバーする長さを有し；
前記複数の遊技機本体に形成された前記共通遊技媒体受け皿を取り付ける取付台に、着脱可能に取り付けるための凸部または凹部を備える；
共通遊技媒体受け皿。
【請求項６】
多量の遊技媒体を収容する共通遊技媒体受け皿であって；
前記共通遊技媒体受け皿には凸部又は凹部のいずれか一方が形成され、前記共通遊技媒体受け皿は、前記凸部又は前記凹部のうちのいずれか一方と、前記凸部又は前記凹部のうちの他方とが嵌合することにより固定される；
共通遊技媒体受け皿。
【発明の詳細な説明】
【技術分野】
【０００１】
本発明は遊技機、遊技機本体及び共通遊技媒体受け皿に関し、特に遊技媒体の共有を容易にすることができる遊技機、遊技機本体及び共通遊技媒体受け皿に関するものである。
【背景技術】
【０００２】
例えば、遊技機、ここではパチスロ機は、正面の表示窓内に複数の図柄を変動表示する回転リールを複数配列して構成した機械的変動表示装置、或いはリール上の図柄を画面に表示する電気的変動表示装置を有する。遊技者のスタート操作に応じて、制御手段が変動表示装置を駆動制御して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にメダル、又はコイン等の遊技媒体を払出すことで遊技者に利益を付与する。
【０００３】
このような従来の遊技機では、各リールの図柄が特定の組合せ（入賞図柄）になりメダル、又はコイン等の遊技媒体を遊技者に対して払出す場合、あるいは遊技媒体を遊技者に対して返却する場合には、遊技機の前面下部に形成された払出口を介して、払出口の下方に位置し、一台の遊技機に対して専用に配設された受け皿に遊技媒体を払い出し、あるいは返却していた（例えば、特許文献１参照。）。
【特許文献１】特開平１０−１７４７３８号公報  （第２−３頁、第２図）
【発明の開示】
【発明が解決しようとする課題】
【０００４】
しかしながら、上記のような遊技機では、例えばカップルで遊技を楽しむ際等、隣接する遊技機で遊技をする遊技者とメダルを共有したい場合があるが、２人の間でメダルを手渡しするしかなく、煩雑であった。
【０００５】
そこで本発明は、例えばメダル等の遊技媒体の共有を容易にすることができる遊技機、遊技機本体及び共通遊技媒体受け皿の提供を目的とする。
【課題を解決するための手段】
【０００６】
上記目的を達成するために、請求項１に係る発明による遊技機は、例えば図１に示すように、遊技結果に応じて遊技媒体を払い出す遊技媒体払出口１５を有する複数の遊技機本体１ａ、１ｂと；複数の遊技機本体１ａ、１ｂの遊技媒体払出口１５から払い出される遊技媒体を、共通に直接受け入れる共通遊技媒体受け皿５０とを備えるように構成される。
【０００７】
このように構成すると、遊技媒体受け皿を共通の遊技媒体受け皿５０としたので、遊技媒体の共有を容易にすることができる遊技機を提供することができる。
【０００８】
また請求項２に記載のように、請求項１に記載の遊技機では、共通遊技媒体受け皿５０を、複数の遊技機本体１ａ、１ｂに着脱可能に固定的に取り付ける取付部１１０を有するように構成してもよい。
【０００９】
このように構成すると、共通遊技媒体受け皿５０を容易に着脱可能な構成なので、遊技機１０１の設置工事が容易となる。
【００１０】
また請求項３に記載のように、請求項２に記載の遊技機では、取付部１１０は、取付部１１０に形成される凸部１１２ａ、１１３ａ又は凹部５７、５８のいずれか一方と、共通遊技媒体受け皿５０に形成される凸部１１２ａ、１１３ａ又は凹部５７、５８のうちの他方とが嵌合することにより、共通遊技媒体受け皿５０を取付部１１０に取り付けるように構成してもよい。
【００１１】
上記目的を達成するために、請求項４に係る発明による遊技機本体は、例えば図１に示すように、遊技結果に応じて遊技媒体を払い出す遊技媒体払出口１５を有する遊技機本体１ａ、１ｂであって；遊技媒体払出口１５の下方の領域と、隣接する遊技機本体の遊技媒体払出口１５の下方の領域とが連続可能に構成される。
【００１２】
このように構成すると、遊技媒体受け皿を共通の遊技媒体受け皿５０としたので、遊技媒体の共有を容易にすることができる遊技機本体を提供することができる。
【００１３】
上記目的を達成するために、請求項５に係る発明による共通遊技媒体受け皿は、例えば図１に示すように、複数の遊技機本体１ａ、１ｂの遊技媒体払出口１５から払い出される遊技媒体を、共通に受け入れる共通遊技媒体受け皿５０であって；複数の遊技機本体１ａ、１ｂを幅方向にカバーする長さを有し；複数の遊技機本体１ａ、１ｂに形成された共通遊技媒体受け皿５０を取り付ける取付台に、着脱可能に取り付けるための凸部１１２ａ、１１３ａまたは凹部５７、５８を備えるように構成される。
【００１４】
このように構成すると、複数の遊技機本体１ａ、１ｂを幅方向にカバーする長さに形成されるので、遊技媒体の共有を容易にすることができる共通遊技媒体受け皿を提供することができる。
【００１５】
上記目的を達成するために、請求項６に係る発明による共通遊技媒体受け皿は、例えば図１に示すように、多量の遊技媒体を収容する共通遊技媒体受け皿５０であって；共通遊技媒体受け皿５０には凸部１１２ａ、１１３ａ又は凹部５７、５８のいずれか一方が形成され、共通遊技媒体受け皿５０は、凸部１１２ａ、１１３ａ又は凹部５７、５８のうちのいずれか一方と、凸部１１２ａ、１１３ａ又は凹部５７、５８のうちの他方とが嵌合することにより固定されるように構成される。
【００１６】
このように構成すると、複数の遊技機本体１ａ、１ｂに対応する量の遊技媒体を貯留することができ、遊技媒体の共有を容易にすることができる共通遊技媒体受け皿を提供することができる。
【発明の効果】
【００１７】
以上のように本発明によれば、遊技媒体の共有を容易にすることができる遊技機、遊技機本体及び共通遊技媒体受け皿を提供することができる。
【発明を実施するための最良の形態】
【００１８】
以下、本発明の実施の形態を図示例と共に説明する。図１から図３は、発明を実施する形態の一例であって、図中、同一または類似の符号を付した部分は同一物または相当物を表わし、重複した説明は省略する。
【００１９】
図１は、本発明の第１の実施の形態に係る遊技機１０１の外観を示す正面斜視図である。本発明の第１の実施の形態である遊技機１０１は、本発明の第２の実施の形態に係る遊技機本体を複数台、ここでは２台備え、当該２台の遊技機本体１ａ、１ｂから払い出される遊技媒体を共通に直接受け入れる本発明の第３の実施の形態に係る共通遊技媒体受け皿としてのメダル受け皿５０とを備えている。遊技機本体１ａ、１ｂは、いわゆる「パチスロ機」である。この遊技機本体１ａ、１ｂは、コイン、メダル、遊技球又はトークンなどの遊技媒体を用いて遊技する遊技機本体であるが、以下では、遊技媒体としてのメダルを用いるものとして説明する。
【００２０】
図１を続けて参照して、最初に遊技機１０１に用いるのに適する遊技機本体１ａ、１ｂについて説明する。遊技機本体１ａ、１ｂは互いにほぼ同様な構成となっているので、まず、遊技機本体１ａの構成を説明し、遊技機本体１ｂの構成については遊技機本体１ａとの相違点を適宜説明するものとする。
【００２１】
遊技機本体１ａの全体を形成しているキャビネット２の正面には、略垂直面としてのパネル表示部２ａが形成され、その中央には縦長矩形のリール表示窓４Ｌ、４Ｃ、４Ｒが横方向に順番に設けられている。キャビネット２の内部には、各々の外周面に複数種類の図柄、例えば不図示の“赤７図柄”、“青７図柄”、“ＢＡＲ図柄”、“ベル図柄”、“プラム図柄”、“Ｒｅｐｌａｙ図柄”及び“チェリー図柄”の図柄によって構成される図柄列が描かれた３個の左リール３Ｌ、中リール３Ｃ、右リール３Ｒが回転自在に横一列に設けられている。各リールの図柄はリール表示窓４Ｌ、４Ｃ、４Ｒを通して遊技者に観察させることができる。各リールは、定速回転として例えば、毎分８０回転で回転するように構成するとよい。
【００２２】
リール表示窓４Ｌ、４Ｃ、４Ｒには、入賞ラインとして水平方向にトップライン、センターライン及びボトムライン、斜め方向にクロスダウンライン及びクロスアップラインが設けられている。これらの入賞ラインは、後述するＢＥＴボタン１３を押下操作すること、あるいはメダル投入口２２にメダルを投入することにより、入賞ラインが、メダルを１枚ベットするならば１本、メダルを２枚ベットするならば３本、メダルを３枚ベットするならば５本有効化される。ここで、各入賞ラインは、役の入賞確率の増減に関してその成否を左右するように構成されている。
【００２３】
すなわち、所定の役（例えば、「ＢＢ」）に対応する一の図柄（例えば、“赤７図柄”）が有効化された入賞ラインに揃うことにより、例えば、ＢＥＴ数が“３”であればトップライン、センターライン、ボトムライン、クロスダウンライン、及びクロスアップラインの中の何れか１つの入賞ラインに揃う（並んで停止表示される）ことにより、“ＢＢ”の入賞が成立することとなる。本実施の形態では、１つのゲーム（例えば、単位遊技）は、全てのリールが停止したときに終了する。
【００２４】
ここで、ＢＢ、ＲＢとは以下のようなものである。現在主流の機種は、複数種類の入賞態様を有する。特に、ある役の入賞が成立したときは、１回のメダルの払出しに終わらず、所定時間、通常の状態よりも条件の良い遊技状態となる。このような役として、遊技者に相対的に大きい利益を与えるゲームを所定回数行える役と、遊技者に相対的に小さい利益を与えるゲームを所定回数行える役とがある。前者を「ビッグボーナス」と称し、以下「ＢＢ」と略記する。後者を「レギュラーボーナス」と称し、以下「ＲＢ」と略記する。
【００２５】
リール表示窓４Ｌ、４Ｃ、４Ｒの下方には水平面の台座部１０が形成されており、台座部１０には遊技に関連する情報（例えば、入賞態様、リプレイ確率、内部当選告知のリール停止態様等）を印刷して表示することもできる。台座部１０の右端部側には、メダルを遊技機本体１ａ内に投入するためのメダル投入口２２が設けられ、左端部側にはＢＥＴボタン１３が設けられている。ＢＥＴボタン１３を押下操作することで、１回のゲームに賭けることが可能な枚数のメダルを適宜賭けられるように構成されている。遊技者が、ＢＥＴボタン１３を操作することで、１又は複数の入賞ラインが有効化されるように構成されている。なお、ＢＥＴボタン１３は１つのみを設けるものとして説明するが、１−ＢＥＴボタン、２−ＢＥＴボタン、及び最大ＢＥＴボタンを設けるものとしてもい。この場合、１−ＢＥＴボタンは、１回の押し操作により、クレジットされているメダルのうちの１枚がゲームに賭けられ、２−ＢＥＴボタンは、１回の押し操作により、クレジットされているメダルのうちの２枚がゲームに賭けられ、最大ＢＥＴボタンは、１回のゲームに賭けることが可能な最大枚数のメダルが賭けられるように構成する。これらのＢＥＴスイッチを操作することで、前述のとおり、所定の入賞ラインが有効化される。
【００２６】
台座部１０の前面部の左端部には、遊技者がゲームで獲得したメダルのクレジット／払出しを押しボタン操作で切り換えるＣ／Ｐスイッチ１４が設けられている。このＣ／Ｐスイッチ１４の切り換えにより、正面に配設されている表面に情報が描かれた化粧用パネルの下方に形成された遊技媒体払出口としてのメダル払出口１５からメダルが払出されるように構成されている。
【００２７】
また、Ｃ／Ｐスイッチ１４の右側には、遊技者の操作により上記全リールを例えば下方向に図柄が流れるように回転させ、リール表示窓４Ｌ、４Ｃ、４Ｒ内での図柄の変動表示を開始させるスタートレバー６が所定の角度範囲で回動自在に取り付けられている。すなわち、スタートレバー６は、１回の操作により、自立的にニュートラルポジション（例えば、図示したように遊技者に対向して直立状態）に復帰する。
【００２８】
台座部１０の前面部の略中央には、遊技者が手で操作し易い位置に、合計３個の左リール３Ｌ、中リール３Ｃ、右リール３Ｒの回転を任意に停止させる合計３個のリール停止ボタン７Ｌ、リール停止ボタン７Ｃ、及びリール停止ボタン７Ｒが設けられている。遊技者による各リール停止ボタン７Ｌ、７Ｃ、７Ｒの停止操作等により、所定の遊技結果、例えば小役入賞やＢＢ、ＲＢ入賞などが得られると、該遊技結果に応じて所定枚数のメダルが、メダル払出口１５から払い出されるように構成されている。
【００２９】
遊技機１０１は、上述したように２台の遊技機本体１ａ、１ｂを備えており、遊技機本体１ａ、１ｂは、ここでは、貨幣が投入されたことを条件にメダルを貸し出すメダル貸出機３０を間に挟んで、遊技機本体１ａが向かって右側、遊技機本体１ｂが左側になるように隣接して設置されている。さらに、遊技機１０１には、遊技機本体１ａ、１ｂの各メダル払出口１５の下方に、遊技機本体１ａ、１ｂそれぞれのメダル払出口１５から払い出されるメダルを共通に直接受け入れるメダル受け皿５０が取り付けられている。メダル受け皿５０は、後述する取付部１１０によって遊技機本体１ａ、１ｂに着脱可能に固定的に取り付けられている。
【００３０】
なお、ここでは、遊技機本体１ａと遊技機本体１ｂとは、メダル貸出機３０を間に挟んで設置されるものとして説明するが、間になにも挟まずに、すなわち、遊技機本体１ａと遊技機本体１ｂとが接するように配設されるものとしてもよい。また、ここで直接受け入れるとは、メダル払出口１５から払い出されるメダルをそのまま受け入れることをいい、例えば別の容器に受けた後に人手を介して受け入れるような場合を含まない趣旨である。
【００３１】
図２は、本発明の第３の実施の形態に係るメダル受け皿５０の外観及び取り付け方法を示す図であり、（ａ）はメダル受け皿５０が取り外された状態での部分斜視図、（ｂ）はメダル受け皿５０が取り付けられた状態での部分断面図である。図２（ａ）に示すように、メダル受け皿５０は、全体の形状が略直方体で、その上面が開放された形状に形成されており、該開放された面を介してメダル払出口１５から払い出されたメダルを内部に溜めるように構成されている。
【００３２】
具体的には、メダル受け皿５０は、側壁５１、５２、５３、５４、底面５５によって構成され、側壁５１、５２、５３、５４、底面５５によってメダル貯留部５６が画成されている。メダル払出口１５から払い出されたメダルはメダル貯留部５６に貯留される。
【００３３】
さらに、メダル受け皿５０を取り付ける方向に向かって左側、すなわち、遊技機本体１ａ、１ｂに向かって左側の側壁５２には凹部としての軸受孔５７が、側壁５２に対向するの側壁５３には凹部としての軸受孔５８がそれぞれ形成されている。軸受孔５７、５８は、側壁５２、５３の外側面のやや手前側に、側壁５２、５３に対して垂直に略円筒形状に形成されている。
【００３４】
遊技機本体１ａ、１ｂに向かって奥側の側壁５４には、凹部としての略楕円半球状の凹陥部が形成されており、ここでは、４つの凹陥部５９ａ、５９ｂ、５９ｃ、５９ｄが形成されている。なお、凹陥部５９ａ、５９ｂ、５９ｃ、５９ｄは、略楕円半球状に限らず真円半球状であってもよい。後述する突起部１１５ａ、１１５ｂ、１１５ｃ、１１５ｄも同様である。
【００３５】
メダル受け皿５０が遊技機１０１から取り外された状態に示すように、遊技機本体１ａ、遊技機本体１ｂの各メダル払出口１５の下方の領域は、遊技機本体１ａ、遊技機本体１ｂに対して共通のメダル受け皿５０が設置できるように連続的に形成されている。
【００３６】
具体的には、遊技機１０１は、メダル受け皿５０を着脱可能に固定的に取り付ける取付部１１０を備えている。本実施の形態では、取付部１１０は、遊技機本体１ａの下部右側に遊技機本体１ａから突出するように形成されるスリーブ１１２、遊技機本体１ｂの下部左側にスリーブ１１２と対向して形成されるスリーブ１１３を含んで構成されている。スリーブ１１２、１１３は略四角形の板状に形成されており、さらに、スリーブ１１２、１１３の鉛直方向下側の端部を結ぶように、略長方形板状に形成された取付台１１４が配設されている。スリーブ１１２、１１３、取付台１１４及び各メダル払出口１５が形成されている後壁１１５によって、上面と手前側が開放された略直方体形状の領域が画成され、当該画成された領域にメダル受け皿５０が取り付けられるのである。
【００３７】
スリーブ１１２のメダル受け皿５０が取り付けられる側の面のやや手前側には、凸部としての円柱状軸１１２ａが形成されている。同様に、スリーブ１１３のメダル受け皿５０が取り付けられる側の面のやや手前側には、凸部としての円柱状軸１１３ａが形成されている。メダル受け皿５０は、軸受孔５７と円柱状軸１１３ａとが、軸受孔５８と円柱状軸１１２ａとが嵌合することにより、取付台１１４に、すなわち遊技機１０１に着脱可能に固定的に取り付けられるように構成されている。ここで固定的に取り付けるとは、メダル受け皿５０を取付台１１４上に単に載置するだけでなく、不用意に力を手前方向に加えても移動しないように取り付けることをいう。
【００３８】
メダル受け皿５０の遊技機１０１に向かって左右方向の長さＷ（以下、「メダル受け皿幅Ｗ」という。）は、少なくとも２台の遊技機本体１ａ、１ｂの各メダル払出口１５から払い出されるメダルを直接受け入れられる長さ、つまり遊技中に同時に共通に受け入れられる長さであればよい。すなわち、本実施の形態に示すような２台の遊技機本体１ａ、１ｂに対して共通のメダル受け皿５０とする場合、メダル受け皿幅Ｗは、隣接する遊技機本体１ａ、１ｂの各メダル払出口１５の中心間距離Ｗ１に、メダル払出口１５の水平方向の長さＷ２（以下、「メダル払出口幅Ｗ２」という。）を加えた長さ以上あればよい。さらに好ましくは、メダル受け皿幅Ｗは、遊技機本体１ａ、１ｂの遊技機１０１に向かって左右方向の長さＷ３（以下、「遊技機本体幅Ｗ３」という。）２つ分程度の長さとするとよい。また、メダル受け皿５０のメダル貯留可能容量としては、遊技機本体１ａ、１ｂにそれぞれ専用のメダル受け皿を設けた際の１．５倍から２倍程度の容量、例えば、１２００枚から２０００枚程度のメダルが貯留可能な容量とするとよい。
【００３９】
図２（ｂ）の側面断面図に示すように、取付台１１４は、底面５５よりも若干短く形成されており、メダル受け皿５０は、円柱状軸１１２ａ、１１３ａを回転軸として前方方向に傾倒するような構成ともなっている。このように構成されることで、メダル受け皿５０に貯留されているメダルを、別の容れ物に移し替える際にも、メダル受け皿５０を前方方向に傾倒させることで容易に移し替えることができることとなる。
【００４０】
また、後壁１１５には、凸部としての略楕円半球状の突起部１１５ａ、１１５ｂ、１１５ｃ、１１５ｄが形成されており、メダル受け皿５０は、凹陥部５９ａと突起部１１５ａとが、凹陥部５９ｂと突起部１１５ｂとが、凹陥部５９ｃと突起部１１５ｃとが、凹陥部５９ｄと突起部１１５ｄとが、嵌合することにより、例えば誤って前方向に傾倒しにくいように遊技機１０１に取り付けられる。
【００４１】
なお、以上の説明では、凸部と凹部の組み合わせを複数設けるものとして説明したが、上記で説明した数にとらわれる必要はない。例えば、軸受孔５７、５８と円柱状軸１１２ａ、１１３ａとを設けて、突起部１１５ａ、１１５ｂ、１１５ｃ、１１５ｄと凹陥部５９ａ、５９ｂ、５９ｃ、５９ｄとを設けない構成とすることもできる。さらに、取付部１１０側に凸部を、メダル受け皿側に凹部を設けるものとして説明したが、これに限らず、取付部１１０側に凹部を、メダル受け皿側に凸部を設けるものとしてもよい。
【００４２】
また、本実施の形態では、各メダル払出口１５を、水平方向に対して遊技機本体１ａ、１ｂのほぼ中央に形成することで、隣接して設置される２台の遊技機本体１ａ、１ｂをできる限り同様な構成とし、２台の遊技機本体１ａ、１ｂのうちどちらが右側あるいは左側に設置されてもよいような構成となっている。なお、例えば、右側に配設されている遊技機本体１ａのメダル払出口１５を向かって左端に、左側に配設されている遊技機本体１ｂのメダル払出口１５を向かって右端に形成することとしてもよく、この場合、メダル受け皿幅Ｗが短いメダル受け皿５０とすることもできる。
【００４３】
以上で説明した遊技機１０１、遊技機本体１ａ、１ｂ、メダル受け皿５０によれば、遊技機本体１ａ、１ｂの下方に設けられるメダル受け皿を共通のメダル受け皿５０としたので、複数の遊技者においてメダルの共有を容易にすることができる。さらに、メダルの共有が容易となったことで、隣接する遊技機本体１ａ、１ｂで遊技を行う遊技者同士、例えば男女のカップル間での興趣性の共有に資することができ、より興趣性の高い遊技機とすることができる。
【００４４】
また、メダル受け皿５０を容易に着脱可能な構成としたことで、各遊技機本体１ａ、１ｂに１対１で取り付ける通常のメダル受け皿と、遊技機本体１ａ、１ｂに共通に用いられるメダル受け皿５０とを任意に変更することができ、遊技者のニーズに対して迅速に対応することができる。さらに、各遊技機本体１ａ、１ｂをそれぞれ独立して製造した後に、共通のメダル受け皿５０を取り付けることで遊技機１０１を構成することができるので、製造も効率よく、容易にすることができる。また、遊技機１０１の店舗への設置に際しても、まず各遊技機本体１ａ、１ｂを設置し、その後に共通のメダル受け皿５０を設置することができるので設置工事が容易となる。
【００４５】
本発明の実施の形態である遊技機１０１、遊技機本体１ａ、１ｂ、メダル受け皿５０は、上述した実施の形態に限定されず、特許請求の範囲に記載された範囲で種々の変更が可能である。以下では、図３の本発明の実施の形態に係る変形例を説明する図を参照して、種々の変形例について説明する。なお、重複した説明はできるだけ省略し、各部の寸法を示す符号については適宜図２を参照する。
【００４６】
図３（ａ）は、第１の変形例に係る遊技機１０１ａを説明する図であり、メダル受け皿５０ａが取り外された状態での部分斜視図である。遊技機１０１ａでは、メダル受け皿５０ａが、スリーブ１１２、１１３とメダル受け皿５０ａとの間に、略四角筒状で底面がふさがれた形状に形成されている灰皿１１６、１１７を介して取り付けられている点で、図２で説明した遊技機１０１とは異なる。
【００４７】
遊技機１０１ａでは、スリーブ１１２に取り付けられる灰皿１１６に円柱状軸１１６ａが、スリーブ１１３に取り付けられる灰皿１１７に円柱状軸１１７ａが形成されており、メダル受け皿５０ａは、軸受孔５７と円柱状軸１１７ａとが、軸受孔５８と円柱状軸１１６ａとが嵌合することにより、遊技機１０１ａに着脱可能に固定的に取り付けられるように構成されている。すなわち、遊技機１０１ａとメダル受け皿５０ａとの間に任意のもの、ここでは灰皿１１６、１１７を介してメダル受け皿５０ａを取り付けることとしてもよいのである。この場合、メダル受け皿５０ａのメダル受け皿幅Ｗは、灰皿２つ分程度短く形成されることとなる。また、メダル受け皿５０ａは、外底面に形成された段差と取付台１１４とが当接するように取り付けられることで、美観に配慮された構成ともなっている。
【００４８】
図３（ｂ）は、第２の変形例に係る遊技機１０１ｂを説明する図であり、メダル受け皿５０ｂが取り外された状態での部分斜視図である。遊技機１０１ｂでは、遊技機本体１ｂの向かって左側に、さらに遊技機本体１ｃが設置されており、メダル受け皿は、遊技機本体１ａ、１ｂ、１ｃに共通のメダル受け皿５０ｂとして構成されている点で、図２で説明した遊技機１０１とは異なる。
【００４９】
遊技機１０１ｂでは、遊技機本体１ｂに形成されていたスリーブ１１３を削除して、遊技機本体１ｃの下部左側にスリーブ１１２と対向してスリーブ１１８が形成されている。スリーブ１１８には、円柱状軸１１８ａが形成されており、メダル受け皿５０ｂは、軸受孔５７と円柱状軸１１８ａとが、軸受孔５８と円柱状軸１１２ａとが嵌合することにより、遊技機１０１ａに着脱可能に固定的に取り付けられるように構成されている。すなわち、本発明に係る遊技機は、２台以上の複数台の遊技機本体に対して共通のメダル受け皿を設けることができ、各遊技機本体の各メダル払出口１５の下方の領域が、複数の遊技機本体に対して共通のメダル受け皿５０が設置できるように、障害物がなく連続的に形成されていればよい。この場合、メダル受け皿幅Ｗ、貯留可能メダル枚数ともに、各遊技機本体に１対１で取り付ける通常のメダル受け皿のメダル受け皿幅Ｗ、貯留可能メダル枚数に隣接させる遊技機本体の台数を乗じた値とするとよい。
【００５０】
図３（ｃ）は、第３の変形例に係る遊技機１０１ｃを説明する図であり、メダル受け皿５０ｃが取り付けられた状態での部分断面図である。遊技機１０１ｃでは、メダル受け皿５０ｃが、凹部としての挿入口１１９と凸部としての挿入突起部１２０とが嵌合することにより、遊技機１０１ｃに着脱可能に固定的に取り付けられるように構成されている点で、図２で説明した遊技機１０１とは異なる。
【００５１】
遊技機１０１ｃでは、取付部１１０の後壁１１５の略全体をえぐるように略直方体状に形成された挿入口１１９に、メダル受け皿５０ｃの側壁５４の略全体を突出するように形成された挿入突起部１２０を差し込むように嵌合させることで、メダル受け皿５０ｃが、遊技機１０１ｃに着脱可能に固定的に取り付けられるように構成されている。このように、構成すると、１対の凹部、凸部によってメダル受け皿５０ｃが、遊技機１０１ｃに着脱可能に固定的に取り付けられるように構成できるので、より簡単な構成とすることができる。また、メダル受け皿の着脱、固定は凹部、凸部によるものでなくてもよく、ネジやビスを用いるものとしてもよい。この場合は、より固定的な取り付けとすることができる。
【００５２】
なお、メダル受け皿の着脱は、全体を一度に着脱できなければならないものではない。すなわち、メダル受け皿は複数の部分によって構成されていてもよく、例えば、図２に示した遊技機１０１では、遊技機本体１ａ、遊技機本体１ｂにそれぞれ対応する受け皿部分と、当該各対応する受け皿部分とを接続する受け皿部分とによって、全体として遊技機本体１ａ、遊技機本体１ｂに共通のメダル受け皿を構成してもよく、この場合、各受け皿部分をそれぞれ独立して着脱可能な構成としてもよい。さらに、メダル受け皿を複数の部分によって構成する場合に、遊技機本体１ａに対応する部分、遊技機本体１ｂに対応する部分は、それぞれ、遊技機本体１ａ、１ｂと一体に形成し、両部分を接続する部分だけを着脱可能な構成としてもよい。
【００５３】
なお、本発明に係る遊技機は、上述した実施形態のパチスロ遊技機に限定されるものではなく、パチンコ遊技機、ビデオスロット遊技機等の遊技媒体を用いて遊技する他の遊技機にも適用することができる。この場合は、有価の遊技媒体としてコイン、硬貨、遊技球又はトークンなどを用いて遊技することができる。
【図面の簡単な説明】
【００５４】
【図１】本発明の実施の形態に係る遊技機、遊技機本体の外観を示す正面斜視図である。
【図２】本発明の実施の形態に係るメダル受け皿の外観及び取り付け方法を示す図であり、（ａ）はメダル受け皿が取り外された状態での部分斜視図、（ｂ）はメダル受け皿が取り付けられた状態での部分側面断面図である。
【図３】本発明の実施の形態に係る変形例を説明する図であり、（ａ）は第１の変形例に係る遊技機を説明する部分斜視図であり、（ｂ）は第２の変形例に係る遊技機を説明する部分斜視図であり、（ｃ）は第３の変形例に係る遊技機を説明する部分側面断面図である。
【符号の説明】
【００５５】
１ａ、１ｂ、１ｃ    遊技機本体
１５    メダル払出口
５０、５０ａ、５０ｂ、５０ｃ    メダル受け皿
５７、５８    軸受孔
５９ａ、５９ｂ、５９ｃ、５９ｄ    凹陥部
１０１、１０１ａ      、１０１ｂ、１０１ｃ    遊技機
１１０    取付部
１１２ａ      、１１３ａ、１１６ａ、１１７ａ、１１８ａ    円柱状軸
１１４    取付台
１１５ａ、１１５ｂ、１１５ｃ、１１５ｄ    突起部
１１９    挿入口
１２０    挿入突起部
Ｗ      メダル受け皿幅
Ｗ１      中心間距離
Ｗ２      メダル払出口幅
Ｗ３      遊技機本体幅
【図１】
2005118473.tif 000003
【図２】
2005118473.tif 000004
【図３】
2005118473.tif 000005